(57)【特許請求の範囲】
【請求項１】
高温側再生器で発生させた冷媒蒸気を低温側再生器での加熱源にする多重効用吸収式冷凍機であって、
前記高温側再生器と前記低温側再生器とに対し各別の吸収器から希溶液を並列的に送る溶液循環において、
前記高温側再生器に送る高温側希溶液の溶液濃度を前記低温側再生器に送る低温側希溶液の溶液濃度よりも低くして、前記高温側再生器での溶液濃度の変化幅を前記低温側再生器での溶液濃度の変化幅よりも大きくしてあり、
前記高温側再生器から送出される高温側濃溶液と前記低温側再生器から送出される低温側濃溶液とを合流させて、その合流濃溶液を第１吸収器において冷媒吸収させ、
その第１吸収器で生成される希溶液を、前記低温側再生器に送る前記低温側希溶液と、第２吸収器でさらに冷媒吸収させた上で前記高温側再生器に送る前記高温側希溶液とに分流する構成にしてある多重効用吸収式冷凍機。
【請求項２】
高温側再生器で発生させた冷媒蒸気を低温側再生器での加熱源にする多重効用吸収式冷凍機であって、
前記高温側再生器と前記低温側再生器とに対し各別の吸収器から希溶液を並列的に送る溶液循環において、
前記高温側再生器に送る高温側希溶液の溶液濃度を前記低温側再生器に送る低温側希溶液の溶液濃度よりも低くして、前記高温側再生器から送出される高温側濃溶液の溶液濃度を、前記低温側再生器から送出される低温側濃溶液の溶液濃度よりも低くしてあり、
前記高温側再生器から送出される高温側濃溶液と前記低温側再生器から送出される低温側濃溶液とを合流させて、その合流濃溶液を第１吸収器において冷媒吸収させ、
その第１吸収器で生成される希溶液を、前記低温側再生器に送る前記低温側希溶液と、第２吸収器でさらに冷媒吸収させた上で前記高温側再生器に送る前記高温側希溶液とに分流する構成にしてある多重効用吸収式冷凍機。
【請求項３】
高温側再生器で発生させた冷媒蒸気を低温側再生器での加熱源にする多重効用吸収式冷凍機であって、
前記高温側再生器と前記低温側再生器とに対し各別の吸収器から希溶液を並列的に送る溶液循環において、
前記高温側再生器に送る高温側希溶液の溶液濃度を前記低温側再生器に送る低温側希溶液の溶液濃度よりも低くして、前記高温側再生器での溶液濃度の変化幅を前記低温側再生器での溶液濃度の変化幅よりも大きくし、かつ、前記高温側再生器から送出される高温側濃溶液の溶液濃度を、前記低温側再生器から送出される低温側濃溶液の溶液濃度よりも低くしてあり、
前記高温側再生器から送出される高温側濃溶液と前記低温側再生器から送出される低温側濃溶液とを合流させて、その合流濃溶液を第１吸収器において冷媒吸収させ、
その第１吸収器で生成される希溶液を、前記低温側再生器に送る前記低温側希溶液と、第２吸収器でさらに冷媒吸収させた上で前記高温側再生器に送る前記高温側希溶液とに分流する構成にしてある多重効用吸収式冷凍機。
【請求項４】
前記低温側希溶液を生成する前記第１吸収器において発生冷媒蒸気を吸収させる第１蒸発器と、前記高温側希溶液を生成する前記第２吸収器において発生冷媒蒸気を吸収させる第２蒸発器とを設け、
冷却対象熱媒を前記第２蒸発器から前記第１蒸発器の順に通過させる形態で、それら蒸発器において順次冷却する構成にしてある請求項１〜３のいずれか１項に記載の多重効用吸収式冷凍機。
【請求項５】
前記低温側再生器として中温再生器と低温再生器を設け、
前記高温側再生器での発生冷媒蒸気を前記中温再生器の加熱源にするとともに、その中温再生器での発生冷媒蒸気又はその中温再生器で加熱源として用いた後の凝縮液冷媒を前記低温再生器の加熱源にする多重効用形式にしてある請求項１〜４のいずれか１項に記載の多重効用吸収式冷凍機。
【発明の詳細な説明】
【０００１】
【発明の属する技術分野】
本発明は吸収式冷凍機に関し、詳しくは、高温側再生器で発生させた冷媒蒸気を低温側再生器での加熱源にする多重効用吸収式冷凍機に関する。
【０００２】
【従来の技術】
図２は従来の多重効用吸収式冷凍機の一例（三重効用の例）を示すが、同図に示す如く、高温側再生器１と低温側再生器２，３（中温再生器及び低温再生器）とに対し希溶液Ｌａ，Ｌｂ，Ｌｃを並列的に送る溶液循環形式を採る場合、各再生器１〜３に供給する希溶液Ｌａ，Ｌｂ，Ｌｃの溶液濃度は互いに等しくなっていた。
【０００３】
図中、４は加熱器、５は凝縮器、６は蒸発器、８は吸収器、Ｐ１は溶液ポンプ、Ｐ３は冷媒ポンプ、Ｃは冷却対象熱媒、Ｗは冷却用熱媒であり、Ｎは夫々、溶液熱交換器である。
【０００４】
また、希溶液の生成については、図３に示す如く、凝縮器で凝縮させた冷媒Ｒ’を順次に蒸発させる第１及び第２蒸発器６Ａ，６Ｂを設けるとともに、再生器からの戻り濃溶液Ｌ’に第１及び第２蒸発器６Ａ，６Ｂでの発生冷媒蒸気を順次に吸収させる第１及び第２吸収器８Ａ，８Ｂを設け、そして、この構成において冷却対象熱媒Ｃを第２蒸発器６Ｂから第１蒸発器６Ａの順に通過させる形態を採って、第２蒸発器６Ｂでの冷媒蒸発温度を第１蒸発器６Ａで要求される冷媒蒸発温度よりも高くすることにより、第１吸収器８Ａでの冷媒吸収に比べ、第２吸収器８Ｂにおいてより低い溶液濃度まで冷媒吸収させる二段吸収方式が知られている。
【０００５】
つまり、この二段吸収方式によれば、通常の一段吸収方式に比べ、冷媒吸収の後、再生器に送る希溶液Ｌの溶液濃度を低くすることができ、それにより、再生器での溶液濃度の変化幅（すなわち、冷媒蒸気の発生による溶液濃縮再生での溶液濃度の上昇幅）を拡大して、再生器での冷媒蒸気の発生効率を高めることができる。
【０００６】
【発明が解決しようとする課題】
しかし、前記の如く、多重効用形式における各再生器に溶液濃度の互いに等しい希溶液を並列的に供給するのでは、仮に二段吸収方式を採用して各再生器に対する供給希溶液の溶液濃度を低下させ、それにより各再生器における冷媒蒸気の発生効率を向上させたとしても、装置全体効率（成績係数）の向上には限界があり、この点、未だ改善の余地があった。
【０００７】
この実情に対し、本発明の主たる課題は、溶液循環の面での合理的な改良により、多重効用吸収式冷凍機の全体効率を効果的に向上させる点にある。
【０００８】
【課題を解決するための手段】
〔１〕請求項１記載の発明では、高温側再生器と低温側再生器とに対し各別の吸収器から希溶液を並列的に送る溶液循環において、高温側再生器に送る高温側希溶液の溶液濃度を低温側再生器に送る低温側希溶液の溶液濃度よりも低くし、それにより、高温側再生器での溶液濃度の変化幅を低温側再生器での溶液濃度の変化幅よりも大きくし、また、高温側再生器から送出される高温側濃溶液と低温側再生器から送出される低温側濃溶液とを合流させて、その合流濃溶液を第１吸収器において冷媒吸収させ、そして、その第１吸収器で生成される希溶液を、低温側再生器に送る低温側希溶液と、第２吸収器でさらに冷媒吸収させた上で高温側再生器に送る高温側希溶液とに分流する。
【０００９】
つまり、多重効用形式では高温側再生器での発生冷媒蒸気を低温側再生器での冷媒蒸気発生の加熱源にすることから、上記の如く、高温側再生器に送る高温側希溶液の溶液濃度を低温側再生器に送る低温側希溶液の溶液濃度よりも低くして、高温側再生器での溶液濃度の変化幅を低温側再生器での溶液濃度の変化幅よりも大きくすれば（すなわち、高温側再生器での加熱量の増大を伴わずに高温側再生器での冷媒蒸気の発生量を増加させれば）、それに伴い低温側再生器での加熱量も増大することで低温側再生器での冷媒蒸気発生量もともに増加し、これにより、装置の全体効率（成績係数）が効果的に向上する。
【００１０】
そしてまた、請求項１記載の発明では、高温側再生器と低温側再生器とに対し各別の吸収器から並列的に送る希溶液のうち、高温側再生器に送る高温側希溶液の溶液濃度のみを選択的に低くするから、例えば、二段吸収方式を採用するにしても、前記の如く各再生器に対する供給希溶液の溶液濃度をともに低下させるに比べ、濃度低下対象の溶液量が少量になり、その分、高温側再生器に送る高温側希溶液の溶液濃度を一層効果的に低下させることが可能になって、高温側再生器での溶液濃度の変化幅を低濃度側へ一層効果的に拡大することができる。
【００１１】
すなわち、請求項１記載の発明によれば、上記の如く高温側再生器での溶液濃度の変化幅を低濃度側へ一層効果的に拡大できて高温側再生器での冷媒蒸気発生量を効果的に増加させ得ることと、それに伴い前記の如く低温側再生器での冷媒蒸気発生量も効果的に増加させ得ることとが相まって、各再生器への供給希溶液の溶液濃度を単に平均的に低下させるに比べ、装置の全体効率を極めて効果的に向上させることができ、また、このように高温側再生器での溶液濃度の変化幅を効果的に拡大させての効率向上により、所要の冷凍能力を得るのに要する加熱量及び溶液ポンプの消費動力を低減してランニングコストを大きく低減できる。
また、上記の如き希溶液生成形態であれば、第１吸収器において低温側希溶液と同濃度まで濃度低下させた溶液を、第２吸収器でさらに冷媒吸収させて低濃度の高温側希溶液を生成（いわゆる二段吸収方式）するから、再生器からの送出濃溶液に対する一段の冷媒吸収だけで低濃度の高温側希溶液を一気に生成するに比べ、濃度低下対象の溶液量が少量であることとも相まって、生成する高温側希溶液の溶液濃度をより効率的にかつ確実に低下させることが容易になり、これにより、前記した発明の効果を一層確実かつ安定的に得ることができる。
また、この希溶液生成形態であれば、低温側希溶液を生成する第１吸収器を二段吸収方式における前段吸収器に兼用利用した状態で、低濃度の高温側希溶液を二段吸収方式で生成するから、例えば、低温側再生器から送出される低温側濃溶液と高温側再生器から送出される高温側濃溶液とを、低温側希溶液用の吸収器とこれとは別の高温側希溶液用の二段吸収方式の吸収器とで各別に冷媒吸収させる形態に比べれば、装置全体としての吸収器部分の構成を簡素化することができて、装置製作を容易にすることができる。
【００１２】
〔２〕請求項２記載の発明では、高温側再生器と低温側再生器とに対し各別の吸収器から希溶液を並列的に送る溶液循環において、高温側再生器に送る高温側希溶液の溶液濃度を低温側再生器に送る低温側希溶液の溶液濃度よりも低くし、それにより、高温側再生器から送出される高温側濃溶液の溶液濃度を、低温側再生器から送出される低温側濃溶液の溶液濃度よりも低くし、また、高温側再生器から送出される高温側濃溶液と低温側再生器から送出される低温側濃溶液とを合流させて、その合流濃溶液を第１吸収器において冷媒吸収させ、そして、その第１吸収器で生成される希溶液を、低温側再生器に送る低温側希溶液と、第２吸収器でさらに冷媒吸収させた上で高温側再生器に送る高温側希溶液とに分流する。
【００１３】
つまり、このようにすれば、供給希溶液の溶液濃度を低くすることによる冷媒蒸気発生量の増量分をもって高温側再生器での冷媒蒸気発生量は大きく保ちながらも、高温側再生器からの送出濃溶液の溶液濃度低下（すなわち、高温側再生器での溶液濃縮再生における最終再生濃度の低下）により再生温度の低下に対して発生冷媒蒸気の圧力を高く維持する形態で、低温側再生器での再生温度を確保するのに要する高温側再生器での再生温度を低下させることができ、この必要再生温度の低下により装置の全体効率を向上させることができる。
【００１４】
そしてまた、請求項１記載の発明と同様、高温側再生器と低温側再生器とに対し各別の吸収器から並列的に送る希溶液のうち、高温側再生器に送る高温側希溶液の溶液濃度のみを選択的に低くするから、各再生器に対する供給希溶液の溶液濃度をともに低下させるに比べ、濃度低下対象の溶液量が少量になり、その分、高温側再生器に送る高温側希溶液の溶液濃度を一層効果的に低下させることが可能になって、上記の如き冷媒蒸気発生量を維持しながらの送出側溶液濃度の低下による高温側再生器での再生温度の低下を一層効果的に実現でき、このことから、装置の全体効率を効果的に向上させることができ、また、このように高温側再生器での必要再生温度を低下させての効率向上により、所要の冷凍能力を得るのに要する加熱量を低減してランニングコストを大きく低減できる。
また、上記の如き希溶液生成形態であれば、第１吸収器において低温側希溶液と同濃度まで濃度低下させた溶液を、第２吸収器でさらに冷媒吸収させて低濃度の高温側希溶液を生成（いわゆる二段吸収方式）するから、再生器からの送出濃溶液に対する一段の冷媒吸収だけで低濃度の高温側希溶液を一気に生成するに比べ、濃度低下対象の溶液量が少量であることとも相まって、生成する高温側希溶液の溶液濃度をより効率的にかつ確実に低下させることが容易になり、これにより、前記した発明の効果を一層確実かつ安定的に得ることができる。
また、この希溶液生成形態であれば、低温側希溶液を生成する第１吸収器を二段吸収方式における前段吸収器に兼用利用した状態で、低濃度の高温側希溶液を二段吸収方式で生成するから、例えば、低温側再生器から送出される低温側濃溶液と高温側再生器から送出される高温側濃溶液とを、低温側希溶液用の吸収器とこれとは別の高温側希溶液用の二段吸収方式の吸収器とで各別に冷媒吸収させる形態に比べれば、装置全体としての吸収器部分の構成を簡素化することができて、装置製作を容易にすることができる。
【００１５】
また、多重効用形式では、低温側再生器での再生温度を確保する上で高温側再生器における再生温度が単効用の場合の再生温度（一般に９０〜１００℃）に比べ非常に高い温度（三重効用では２００℃以上もの温度）になり、この高温化の為に装置腐食が促進されて腐食防止が難しくなる問題もあるが、請求項２記載の発明によれば、上記の如く高温側再生器での再生温度を効果的に低下できることにより、高温化による装置腐食の問題も合わせ効果的に回避できる。
【００１６】
ちなみに、三重効用の場合、高温側再生器での再生温度は上記の如く２００℃以上になるが、一般に吸収液に用いられる臭化リチウム溶液の鉄などに対する腐食性は２００℃を越えると急激に増大することから、上記の如く高温側再生器に要求される再生温度を低下し得ることは、装置腐食を防止する上で極めて有効である。
【００１７】
〔３〕請求項３記載の発明では、高温側再生器に送る高温側希溶液の溶液濃度を低温側再生器に送る低温側希溶液の溶液濃度よりも低くして、高温側再生器での溶液濃度の変化幅を低温側再生器での溶液濃度の変化幅よりも大きくし、かつ、高温側再生器から送出される高温側濃溶液の溶液濃度を、低温側再生器から送出される低温側濃溶液の溶液濃度よりも低くし、また、高温側再生器から送出される高温側濃溶液と低温側再生器から送出される低温側濃溶液とを合流させて、その合流濃溶液を第１吸収器において冷媒吸収させ、そして、その第１吸収器で生成される希溶液を、低温側再生器に送る低温側希溶液と、第２吸収器でさらに冷媒吸収させた上で高温側再生器に送る高温側希溶液とに分流する。
【００１８】
すなわち、高温側再生器と低温側再生器とに対し各別の吸収器から並列的に送る希溶液のうち、高温側再生器に送る高温側希溶液の溶液濃度を選択的に低くするのであれば、濃度低下対象の溶液量が少量になり、その分、高温側再生器に送る高温側希溶液の溶液濃度を効果的に低下させ得ることを有効に活用して、高温側再生器での溶液濃度の変化幅を拡大させることと、高温側再生器からの送出濃溶液を濃度低下させて高温側再生器での再生温度を低下させることとの両方を実施するのであり、これにより、前記した請求項１記載の発明による効果と請求項２記載の発明による効果との両方を得ることができる。
また、上記の如き希溶液生成形態であれば、第１吸収器において低温側希溶液と同濃度まで濃度低下させた溶液を、第２吸収器でさらに冷媒吸収させて低濃度の高温側希溶液を生成（いわゆる二段吸収方式）するから、再生器からの送出濃溶液に対する一段の冷媒吸収だけで低濃度の高温側希溶液を一気に生成するに比べ、濃度低下対象の溶液量が少量であることとも相まって、生成する高温側希溶液の溶液濃度をより効率的にかつ確実に低下させることが容易になり、これにより、前記した請求項１記載の発明による効果と請求項２記載の発明による効果との両方を一層確実かつ安定的に得ることができる。
また、この希溶液生成形態であれば、低温側希溶液を生成する第１吸収器を二段吸収方式における前段吸収器に兼用利用した状態で、低濃度の高温側希溶液を二段吸収方式で生成するから、例えば、低温側再生器から送出される低温側濃溶液と高温側再生器から送出される高温側濃溶液とを、低温側希溶液用の吸収器とこれとは別の高温側希溶液用の二段吸収方式の吸収器とで各別に冷媒吸収させる形態に比べれば、装置全体としての吸収器部分の構成を簡素化することができて、装置製作を容易にすることができる。
【００２２】
〔４〕請求項４記載の発明では、低温側希溶液を生成する第１吸収器において発生冷媒蒸気を吸収させる第１蒸発器と、高温側希溶液を生成する第２吸収器において発生冷媒蒸気を吸収させる第２蒸発器とを設ける装置構成にして、冷却対象熱媒を第２蒸発器から第１蒸発器の順に通過させる形態で、それら蒸発器において順次冷却するから、その冷却対象冷媒の順次冷却（換言すれば二段階冷却）により第２蒸発器での冷媒蒸発温度を第１蒸発器での冷媒蒸発温度よりも高くし、それにより、第２吸収器で生成する高温側希溶液の溶液濃度を第１吸収器で生成する低温側希溶液の溶液濃度よりも低下させることができる。
【００２３】
そして、前記の如く、各再生器に並列的に供給する希溶液のうち高温側希溶液の溶液濃度を選択的に低くする形態であって、濃度低下対象の溶液量が少量であることから、上記の如く冷媒蒸発温度を高くして第２吸収器での生成希溶液の溶液濃度を低くすることに対し、冷却前の未だ高温の冷却対象冷媒が有する温度と熱量を効果的に寄与させることができ、これにより、高温側希溶液の溶液濃度の低下を効果的にして、前記した請求項１又は２記載の発明の効果を一層確実かつ安定的に得ることができる。
【００２５】
〔５〕請求項５記載の発明では、低温側再生器として中温再生器と低温再生器を設ける装置構成にして、高温側再生器での発生冷媒蒸気を中温再生器の加熱源にするとともに、その中温再生器での発生冷媒蒸気、又は、その中温再生器で加熱源として用いた後の凝縮液冷媒を低温再生器の加熱源にする多重効用形式（すなわち、少なくとも三重効用形式）にするから、高温側再生器での発生冷媒蒸気を低温側再生器での加熱源にする多重効用形式の段数増加による全体効率の向上と、請求項１又は２記載の発明による全体効率の向上とが相まって、全体効率の極めて高い吸収式冷凍機とすることができる。
【００２６】
そして、このように多重効用形式を採ることにおいて、その段数を多くするほど、高温側再生器（最上段の再生器）での必要再生温度が高くなって、その再生温度と高温側再生器に対する希溶液供給温度との温度差の拡大で加熱器による加熱量のうち高温側再生器での冷媒蒸気発生に有効に寄与する熱量の比率が低下（すなわち、高温側再生器での冷媒蒸気発生効率が低下）する傾向となり、また、高温化による装置腐食の問題が顕著となることから、前記した請求項１又は２記載の発明は、装置効率を向上させる上で、また、装置腐食を防止する上で、多重効用形式の段数が多くなるほど一層有効なものとなる。
【００２７】
なお、四重効用以上の多重効用形式とする場合には、上記の低温再生器及び中温再生器に対する高温側再生器として、さらに高温側再生器と低温側再生器との多重効用関係を有する複数の再生器を設ける装置構成を採る。
【００２８】
【発明の実施の形態】
図１は溶液循環系を一つにまとめた一体型の三重効用吸収式冷凍機を示し、１は高温再生器、２は中温再生器、３は低温再生器であり、加熱器４による加熱で高温再生器１において溶液Ｌａ中から発生させた冷媒蒸気Ｒａを中温再生器２の加熱用熱交換器２ａに送り、この冷媒蒸気Ｒａを加熱源として中温再生器２において溶液Ｌｂ中から冷媒蒸気Ｒｂを発生させる。
【００２９】
また、中温再生器２の加熱用熱交換器２ａから送出される高温の凝縮液冷媒Ｒａ’及び中温再生器２での発生冷媒蒸気Ｒｂを低温再生器３の加熱用熱交換器３ａ，３ｂに送り、これら高温液冷媒Ｒａ’及び冷媒蒸気Ｒｂを加熱源として低温再生器３において溶液Ｌｃ中から冷媒蒸気Ｒｃを発生させる。
【００３０】
なお、２ｇ，３ｇは、加熱器４にガスバーナ等の燃焼装置を採用した場合、その燃焼装置が発生する高温燃焼ガスＥを高温再生器１での冷媒蒸気発生の加熱源に用いた後、さらに中温再生器２や低温再生器３での冷媒蒸気発生の加熱源の一部として有効利用するための加熱用熱交換器である。
【００３１】
低温再生器３の加熱用熱交換器３ａ，３ｂから送出される凝縮液冷媒Ｒａ’，Ｒｂ’及び低温再生器３での発生冷媒蒸気Ｒｃは凝縮器５で合流させて、未凝縮分を冷却用熱交換器５ａによる冷却で凝縮させ、そして、この凝縮器５から第１及び第２蒸発器６，７へ液冷媒を二流Ｒｘ’，Ｒｙ’に分流して送り、これら液冷媒Ｒｘ’，Ｒｙ’を各蒸発器６，７において冷却対象熱媒Ｃ（本例では循環冷水）からの気化熱奪取により蒸発させる。
【００３２】
６ａ，７ａは各蒸発器６，７において蒸発過程の冷媒Ｒｘ’，Ｒｙ’と冷却対象熱媒Ｃとを熱交換させる蒸発用熱交換器（すなわち、冷水発生用の熱交換器）であり、冷却対象熱媒Ｃは、第２蒸発器７の蒸発用熱交換器７ａから第１蒸発器６の蒸発用熱交換器６ａの順に通過させることで、第２蒸発器７の蒸発用熱交換器７ａにおいて温度をｔ１からｔ２へ降下させ、続いて、第１蒸発器６の蒸発用熱交換器６ａにおいて温度をｔ２からｔ３に降下させ、この二段階冷却より第２蒸発器７での冷媒Ｒｙ’の蒸発温度ｔｂを第１蒸発器６での冷媒Ｒｘ’の蒸発温度ｔａよりも高くする。
【００３３】
一方、各再生器１，２，３から送出される冷媒蒸気発生後（すなわち濃縮後）の濃溶液Ｌａ’，Ｌｂ’，Ｌｃ’は合流させて第１吸収器８に送り、この第１吸収器８において第１蒸発器６での発生冷媒蒸気Ｒｘを合流濃溶液Ｌ’に吸収させる。そして、第１吸収器８での冷媒吸収により生成される希溶液Ｌを二流Ｌ１，Ｌ２に分流し、その一方Ｌ１を低温側希溶液としてさらに二流Ｌｂ，Ｌｃに分流して中温再生器２と低温再生器３とに分配供給し、他方Ｌ２は第２吸収器９に送る。
【００３４】
第２吸収器９では、前記の如く第２蒸発器７における冷媒蒸発温度ｔｂを第１蒸発器６における冷媒蒸発温度ｔａよりも高くした条件の下で、第１吸収器８から供給される希溶液Ｌ２に第２蒸発器７での発生冷媒蒸気Ｒｙをさらに吸収させ、これにより、中温・低温再生器２，３に送る低温側希溶液Ｌｂ，Ｌｃの溶液濃度ｄ１よりも溶液濃度ｄ２の低い希溶液Ｌａを生成して、その低濃度希溶液Ｌａを高温側希溶液として高温再生器１に供給する。
【００３５】
そして、本第１実施形態の三重効用吸収式冷凍機では、このように高温再生器１（高温側再生器）に送る高温側希溶液Ｌａの溶液濃度ｄ２を、中温・低温再生器２，３（低温側再生器）に送る低温側希溶液Ｌｂ，Ｌｃの溶液濃度ｄ１よりも低くすることにより、高温再生器１での溶液濃度の変化幅Δｄ２を、中温・低温再生器２，３での溶液濃度の変化幅Δｄ１よりも大きく（Δｄ２＞Δｄ１）する、または、高温再生器１から送出される高温側濃溶液Ｌａ’の溶液濃度ｄ２’（＝ｄ２＋Δｄ２）を、中温・低温再生器２，３から送出される低温側濃溶液Ｌｂ’，Ｌｃ’の溶液濃度ｄ１’（＝ｄ１＋Δｄ１）よりも低く（ｄ２’＜ｄ１’）するようにしてある。
【００３６】
なお、具体的運転値の一例としては、冷媒に水を用い、吸収液に臭化リチウム溶液を用いる形式において、ｔ１≒１５℃，ｔ２≒１２℃，ｔ３≒７℃，ｔａ≒５℃，ｔｂ≒１０℃，ｄ１≒５８％（溶液温度４０℃），ｄ２≒５５％（溶液温度４０℃），ｄ１’≒６３％とするのに対し、Δｄ２＞Δｄ１にする場合では６０％＜ｄ２’≦６３％を挙げることができ、また、ｄ２’＜ｄ１’とする場合では５８％≦ｄ２’＜６３％を挙げることができる。
【００３７】
Ｗは凝縮器５の冷却用熱交換器５ａや第１，第２吸収器８，９の冷却用熱交換器８ａ，９ａに供給する冷却用熱媒（本例では水）、Ｐ１は低圧溶液ポンプ、Ｐ２は高温側希溶液用の高圧溶液ポンプ、Ｐ３，Ｐ４は第１，第２蒸発器６，７の夫々において液冷媒Ｒｘ’，Ｒｙ’を循環散布する冷媒ポンプである。
【００３８】
１０〜１４は濃溶液と希溶液を熱交換させる熱回収用の第１〜第５の熱交換器であり、第１熱交換器１０では、高温再生器１からの送出濃溶液Ｌａ’を高温再生器１への供給希溶液Ｌａと熱交換させ、第２熱交換器１１では、第１熱交換器１０からの送出濃溶液Ｌａ’と中温再生器２からの送出濃溶液Ｌｂ’との合流濃溶液を第１熱交換器１０への供給希溶液Ｌａと熱交換させ、第３熱交換器１２では、第２熱交換器１１から送出される合流濃溶液Ｌａ’，Ｌｂ’を中温再生器２への供給希溶液Ｌｂと熱交換させる。
【００３９】
また、第４熱交換器１３では、第３熱交換器１２から送出される合流濃溶液Ｌａ’，Ｌｂ’と低温再生器３からの送出濃溶液Ｌｃ’との合流濃溶液を第２熱交換器１１への供給希溶液Ｌａと熱交換させ、そして、第５熱交換器１４では、第４熱交換器１３から送出される合流濃溶液Ｌ’を、第３熱交換器１２への供給希溶液Ｌｂと低温再生器３への供給希溶液Ｌｃとへ分流する前の希溶液Ｌ１に対し熱交換させる。
【００４０】
つまり、この熱交換構成では、中温・低温再生器２，３（低温側再生器）から送出される低温側濃溶液Ｌｂ’，Ｌｃ’を、中温・低温再生器２，３に送る低温側希溶液Ｌｂ，Ｌｃと第３及び第５熱交換器１２，１４で熱交換させる前に、高温再生器１（高温側再生器）に送る高温側希溶液Ｌａと第２及び第４熱交換器１１，１３で優先的に熱交換させ、その後に、この高温側希溶液Ｌａを高温再生器１から送出される高温側濃溶液Ｌａ’と第１熱交換器１０で熱交換させるようにしてあり、この優先熱交換により高温再生器１に対する希溶液供給温度を高めることで、高温再生器１での冷媒蒸気発生効率、ひいては、その影響を大きく受ける装置全体効率（成績係数）を一層向上させるようにしてある。
【００５６】
〔その他の実施形態〕
前述の各実施形態では三重効用吸収式冷凍機を示したが、本発明の実施にあたり、高温側再生器での発生冷媒蒸気を低温側再生器での加熱源にする多重効用の段数は何段であってもよく、本発明は三重効用に限らず、二重効用あるいは四重効用以上の多重効用吸収式冷凍機にも適用できる。
【００５７】
三重効用以上で低温側再生器が複数器となる場合、これら低温側再生器に対し希溶液を並列的に供給する形態、あるいは、直列的に供給する形態、あるいはまた、並列供給と直列供給とを組み合わせた形態のいずれを採用してもよい。
【００５８】
冷媒と吸収液との組み合わせは水と臭化リチウム溶液との組み合わせに限定されるものではなく、例えば、アンモニアを冷媒とし水を吸収液とする組み合わせなど、種々の組み合わせが可能である。
【００５９】
高温側再生器における加熱器は、ガス燃料ないし液体燃料を用いる燃焼形式、あるいは、高温蒸気や高温水を熱源とする形式のいずれであってもよい。
【００６０】
本発明による多重効用吸収式冷凍機は、冷凍専用機に限らず、吸収式冷温水機や吸収式ヒートポンプとして実施してもよい。
【図面の簡単な説明】
【図１】  実施形態を示す冷凍回路図
【図２】  従来例を示す冷凍回路図
【図３】  他の従来例を示す部分的冷凍回路図
【符号の説明】
１                    高温側再生器
Ｒａ’                冷媒蒸気
２，３                低温側再生器（中温再生器、低温再生器）
８，２８              吸収器（第１吸収器）
９，２９              吸収器（第２吸収器）
Ｌ                    分流前の希溶液
Ｌａ                  高温側希溶液
Ｌｂ，Ｌｃ            低温側希溶液
Ｌａ’                高温側濃溶液
Ｌｂ’，Ｌｃ’        低温側濃溶液
Ｌ’                  合流濃溶液
ｄ１，ｄ２            溶液濃度
ｄ１’，ｄ２’        溶液濃度
Δｄ１，Δｄ２        溶液濃度変化幅
６，２６              第１蒸発器
７，２７              第２蒸発器
Ｃ                    冷却対象熱媒
【図１】
0003948814.tif 000002
【図２】
0003948814.tif 000003
【図３】
0003948814.tif 000004